(57)【要約】      （修正有）【課題】幕の隅部及び周辺部において、剥がれにくい形状を持ち、かつハトメの位置決めが容易であり  薄い布生地であっても、容易に補強できるターポリン製簡易貼着補強材を提供する。【解決手段】ターポリン、天然繊維、合成繊維、混紡繊維製幕の４隅を両辺均等に布地の隅部と、前記隅部の全週辺に、ロープ材による取り付けのハトメ穴の輪形状を有する布製幕の隅部の補強において、複数箇所に布製粘着テープからなるターポリン製簡易貼着補強材１を取り付ける。【選択図】図５
0003176927.tif 000002
【実用新案登録請求の範囲】
【請求項１】
布、ビニール製幕の四隅と前記隅部の全周辺部にロープ材による取り付けのハトメ穴の輪形状を有する、布、ビニール製幕の隅部を補強するにおいて、複数の剥ぎ取り布製粘着テープからなる補強部材を所有していることを特徴とするターポリン製簡易貼着補強材。
【請求項２】
ターポリン製粘着テープからなる補強部材は、正方形、又は長方形の表面処理した布と接着剤と剥ぎ取り離型紙からなる積層体を形成しており、使用時に離型紙を剥がして、該ポリエステル繊維の織物に軟質な合成樹脂を含浸させたビニール系素材である防水布のターポリンでのハトメ穴の輪形状を取り付ける角隅部分に三角形状の補強布部材を貼りつけできるようになっていることを特徴とする請求項１に記載のターポリン製簡易貼着補強材。
【請求項３】
ターポリン製粘着テープからなる補強部材は、横７０ｍｍ〜１０００ｍｍ、縦７０ｍｍ〜１０００ｍｍの正方形、又は長方形のシート状であって、シート内に２個〜１６個の二等辺三角形の形状の押し型線を入れた形状になっていることを特徴とする請求項１又は請求項２に記載のターポリン簡易貼着補強材。
【請求項４】
ターポリン製粘着テープからなる補強部材のシート内の二等辺三角形は、底辺を６０ｍｍ〜１５０ｍｍの直角三角形で、各角度部、または二等辺三角形の底辺角度部がＲ形状になっており、底辺と直角点の直線上に大きさ１ｍｍ〜５ｍｍφの１個〜５個の穴開け用目印を設けていることを特徴とする請求項１〜請求項３のいずれかに記載のターポリン製簡易貼着補強材。
【請求項５】
布、ビニール製幕の４隅に両辺均等で布地の隅部に使用する場合に布製粘着テープからなる補強部材シートが、三角形補強布シートを一枚の正方形、又は長方形状補強布シート内に複数枚で一体的剥ぎ取り構造にしていることを特徴とする請求項１〜請求項４のいずれかに記載のターポリン製簡易貼着補強材。
【請求項６】
正方形、又は長方形状補強布シートは、直角三角形の補強布シートを２個〜１６個持つ布製粘着テープからなる剥ぎ取り補強部材シートであり、前記の補強部材シートを１０枚〜１００枚でセットにして、紙又はビニールの袋または容器に収納されていることを特徴とする請求項１〜請求項５のいずれかに記載のターポリン製簡易貼着補強材。
【請求項７】
布製粘着テープからなる補強部材の軟質塩化ビニール素材での表面処理した布は、表面に防水及び防カビ加工を行った天然繊維、合成繊維、混紡繊維から選ばれたもので、厚さ０．３ｍｍ〜１ｍｍで裏面粘着剤を塗付したものであることを特徴とする請求項１〜請求項６のいずれかに記載のターポリン製簡易貼着補強材。
【請求項８】
布製粘着テープからなる補強部材の表面処理した布に粘着した材料は、エチレン−ビニールアルコール共重合体、エチレン−酢酸ビニール共重合体、エチレン−（メタ）アクリル酸共重合体、エチレン−（メタ）酢酸メチル共重合体、及びエチレン−（無水）マレイン酸から選ばれる少なくとも一種類であることを特徴とする請求項１〜〜請求項７のいずれかに記載のターポリン製簡易貼着補強材。
【請求項９】
布製粘着テープからなる補強部材の表面処理した布に粘着した離型紙は、接着剤を剥がし、接着できる樹脂表面で処理したフイルム状製品であることを特徴とする請求項１〜請求項８のいずれかに記載のターポリン製簡易貼着補強材。
【考案の詳細な説明】
【技術分野】
【０００１】本考案は、帆布、ビニールシートなどで製作された幕、旗、などの取り付け部分のハトメ穴の補強に使用される簡易接着補強材に関するものである。
【背景技術】
【０００２】ターポリンとは「ポリエステル繊維の織物」を「軟質な合成樹脂フィルム」でサンドしたビニール系素材である。旗、幕、幟などの縫製加工による騒音、また、熟練作業員の確保が難しく、かつ、労賃の上昇が著しい現在、生産性の低下、コストの著しい上昇等の問題が生じ、縫製という熟練を必要とする作業を止め、これを誰にでも簡単にでき熟練を要しない、かつ、自動化も容易な熱接着の作業に改められている。【０００３】旗、幕、幟などの隅部及び辺部補強部に、一面にホットメルトタイプの接着剤を施したシートを形成した補強片を隅部及び辺部補強部に加熱加圧により接着し、補強片を接着した隅部及び辺部補強部に紐を挿通するための孔を設け、前記孔の縁に金属製の補強リングを固定した旗、幕、幟が実用に供されている（特許文献１参照）。【０００４】フイルム、金属製の補強リングなどが使われているため、用済み後の焼却処理で、フイルム、金属製の補強リングの素材が公害につながるため処理できないという欠点があった。
また、加工が簡単で、強度も確保できる補強部材の固定方法を適用した布製の横断幕、懸吊幕も提供されているが、布製の横断幕、懸吊幕の辺部に設けられた補強部材に布製テープを用い、辺部を内側に折り返し、補強用の紐を包み込み、長手方向に二つ折りした補強部材を、辺部折り返し部に綴じ込み縫いし、本体に補強部材を重ねたままハトメ打ち加工を施した横断幕、懸吊幕も実用に供されている（特許文献２参照）。【０００５】強度確保のため、ハトメ穴が用いられているため、用済み後の焼却処理前に、ハトメ穴を本体幕から外さなければ成らないなどの問題があった。【０００６】この改善策として、ハトメを使わない横断幕で、薄い布地でも風によるホツレが生ぜず、製作容易なロープ捲き込み仕立て横断幕が提供されている。（特許文献３参照）【０００７】ロープ捲き込み仕立て横断幕はあて皮、ハトメなどの補強材を一切用いず、辺部を折り返し部にロープを捲き込みながら包み込み、辺部を縫着した辺部折り返し部と、辺部折り返し部の端部から引き出されたロープ材よりなる隅部取付部と、を備えた横断幕であって、横断幕の辺部折り返し部にチギレからなる補強部材で同時縫製加工を施す。【０００８】補強のためのあて皮、ハトメ打ち加工が省け作業性も良くなりコスト的にも低価格が維持でき、用済み後の焼却処理もでき、環境保全に貢献できる横断幕の提供を行っている。【０００９】ハトメ止めのためのあて皮などを使わず、辺部折り返し部に布製テープからなる補強部材を用い、薄い生地であっても、強化された隅部と辺部を有し、製作容易な横断幕を提供するに当たって、使用生地の４隅を補強する手段としてのあて皮をつかわず、横断幕設置ロープのためのハトメを使わない横断幕であって、横断幕の辺部上下折り返し部に布製テープからなる補強部材が設けられてなる横断幕が提案されている（特許文献４参照）。【００１０】天然繊維を素材とする布体においては、合成樹脂塗料をスクリーン印刷等により前記布体の片面の所定位置に所定幅で形成した１本又は複数列の帯状の補強部材と、該補強部材の長辺方向の両端部寄りに取付けた環状の合成樹脂製のハトメで丸孔を形成し対向する該ハトメの側壁面と側壁面の間の前記補強部材と一体化した前記布体を表裏一体に裁断して形成した１又は複数本の風抜き用のスリットとで布製宣伝用媒体を構成しているものが提案されている（特許文献５参照）。【００１１】雨水排出部を有するテント生地を、伸縮する梁部材または棟部材に弛みがないように張設する方法が提案されている（特許文献６参照）。【００１２】縫着による三角補強材と旗の隅部との固着ではミシンなどによる手作業であるが為に、非常な手間と労力を要し、作業効率が非常に悪い問題がある。
そこで本考案では上記問題点を解消するために、三角補強材と旗の隅部とを縫着によらないで両面接着によって固着する三角補強材およびそれを用いた旗が提供されている。（特許文献７参照）
【先行技術文献】
【特許文献】
【００１３】
【特許文献１】特開平０４−１４６４８１号公報
【特許文献２】特開２０００−３２２０１５号公報
【特許文献３】実用新案登録第３１０５６１６号公報
【特許文献４】実用新案登録第３１１３８９８号公報
【特許文献５】特開平１１−２９６１２１号公報
【特許文献６】特開平９−１３７４７号公報
【特許文献７】実用新案登録第３０２５９９８号公報
【考案の概要】
【考案が解決しようとする課題】
【００１４】本考案は、従来の有するこれらの問題点に鑑みて、発案されたものであり、その目的とするところは、辺部折り返し部に布製テープと強力粘着剤らなる補強部材を用い、薄い布地であっても、強化された隅部と辺部を有し、簡単にハトメの部分を製作容易な横断幕のターポリンのハトメ穴部を補強材として提供することにある。【００１５】特にターポリン布製幕の４隅の布地における隅部と、前記隅部の全周辺部とに、ロープ材による取り付けのハトメ穴の輪形状を有する布製幕の隅部を補強するにおいて、複数の剥ぎ取り性布製粘着テープからなる補強部材を有するターポリン製簡易貼着補強材によってターポリンを補強することを目的とする。
【課題を解決するための手段】
【００１６】シート、布製幕の４隅を両辺均等に布地の隅部と、前記隅部の全週辺に、ロープ材による取り付けのハトメ穴の輪形状を有する布製幕の補強において、複数箇所に布製粘着テープからなる補強部材を取り付けてなる該ポリエステル繊維の織物に軟質な合成樹脂を含浸させたビニール系素材である防水布からなるターポリン製簡易貼着補強材である。【００１７】布製粘着テープからなる補強部材は、正方形、又は長方形の表面処理した布と接着材層及び離型紙からなる積層体を形成しており、使用時に離型紙を剥がして、幕の角隅部分に三角形状の補強布部材を取り付けできるようになっている。【００１８】布製粘着テープからなる補強部材は、横７０ｍｍ〜１０００ｍｍ、縦７０ｍｍ〜１０００ｍｍの正方形、又は長方形のシート状であって、シート内に２個〜１６個の二等辺三角形の形状の押し型線を入れた形状になっている。【００１９】布製粘着テープからなる補強部材のシート内の二等辺三角形は、底辺を６０ｍｍ〜１５０ｍｍの直角三角形であって、底辺角度部がＲ形状になっており、底辺と直角点の直線上に大きさ１ｍｍ〜５ｍｍφの１個〜５個の穴あけ用目印を付している。【００２０】布製粘着テープからなる補強部材シートが、ターポリン用布製幕の４隅を両辺均等に布地の隅部に４枚の三角形補強布を一体的連続構造の一枚の正方形、又は長方形状補強布シートである。【００２１】前記の２個〜１６個の直角三角形の補強シートを持つ布製粘着テープからなる補強部材シートが、１０枚〜１００枚をセットにして紙、又はビニールの袋に収納されている。【００２２】布製粘着テープからなる補強部材の表面処理した布は、天然繊維、又は合成繊維であって、綿繊維、ポリエステル繊維、混紡繊維で、表面に防水加工を行った綿繊維、ポリエステル繊維、混紡繊維から選ばれたもので、厚さ０．３ｍｍ〜１ｍｍで裏面粘着剤を塗ったものである。【００２３】布製粘着テープからなる補強部材の表面処理した布に含浸した材料は、エチレン−ビニルアルコール共重合体、エチレン−酢酸ビニル共重合体、エチレン−（メタ）アクリル酸共重合体、エチレン−（メタ）酢酸メチル共重合体、及びエチレン−（無水）マレイン酸から選ばれる少なくとも一種類である。【００２４】布製粘着テープからなる補強部材の表面処理した布に粘着した離型紙は、粘着剤を剥がしたり、接着しやすい  樹脂表面処理した紙製品であることを特徴とするターポリン製簡易貼着補強材である。【００２５】本考案に用いる布製シートは、例えば、ポリエチレン、ポリプロピレン、ポリ塩化ビニル、ナイロン、ポリエステルなどの樹脂製素材からなるモノフィラメント、マルチフィラメント、編み紐などの繊維材料（例えば、直径０．５〜１ｍｍの径のもの）を、例えば、格子間隔０．５〜１０ｍｍで編んだり、若しくは縦横の繊維を熱融着させて得た幕である。【００２６】樹脂素材には、耐候性を向上するために、酸化防止剤、紫外線吸収剤、顔料などを添加したものを使用するのが望ましい。
【考案の効果】
【００２７】本考案ターポリン製簡易貼着補強材は、布製幕のテント、横断幕、垂れ幕など、それを使用するため、辺部縫製加工時に容易に取り付けが可能であり、しかも、安価に取り付けが出来る。また、縫製工数が著しく軽減し、経済効果は大きい。【００２８】補強部材の二等辺三角形の底辺をＲ型の形状を持たすことで、幕生地と粘着剤とをより剥がれにくくしている。また底辺と直角点の直線上に大きさ１ｍｍφ〜５ｍｍφの１個〜５個の穴あけ用目印を設けることで、穴あけの位置決めを容易にした。【００２９】補強材のターポリン生地表面には防カビ加工が施してあり、防カビ機能に優れている。
またターポリン生地には再生ポリエステル繊維を使用しており環境にも配慮している。
【図面の簡単な説明】
【００３０】
【図１】  簡易貼付補強材テープの１枚シート図
【図２】  簡易貼付補強材テープのセット図
【図３】  簡易貼付補強材テープの断面図
【図４】  簡易貼付補強材テープの横断幕への使用図
【図５】  簡易貼付補強材テープの懸垂幕への使用図
【図６】  簡易貼付補強材テープのスタンド幕への使用図
【図７】  簡易貼付補強材テープの包装形態
【考案を実施するための形態】
【００３１】横断幕などの補強に対して、布製粘着テープからなる補強部材の図２に示すように正方形、又は長方形の表面処理した布６、と接着剤７、と剥ぎ取り容易な離型紙８、からなる図３に示すように積層体を形成しており、使用時に離型紙を剥がして、当該ポリエステル繊維の織物を軟質な合成樹脂に含浸したビニール系素材である防水布のターポリン６、でのハトメ穴１０、の輪形状を取り付ける角隅部分に三角形状の補強布部材１、を貼りつけできるようになっているターポリン製簡易貼着補強材である。ミシン縫製を不要とする隅部と辺部の強度を確保した製作容易な、横断幕図４、懸垂幕図５、スタンド幕図６などの補強を実現した。
【実施例１】
【００３２】ターポリン製簡易貼着補強材として、厚さ１ｍｍ、横１４０ｍｍ、縦１４０ｍｍの正方形のシート状布製粘着テープからなる補強部材は、図２に示すようにシート内に４個の二等辺三角形の形状の押し型線を入れた形状になっている。【００３３】当該布製粘着テープからなる補強部材のシート内の二等辺三角形は、底辺を１２０ｍｍの直角三角形で、各角度部をＲ形状３、になっており、底辺と直角点の直線上に大きさ１．５ｍｍφの２個のハトメ穴あけ用目印を設けて、ターポリン製布製幕の４隅に両辺均等で布地の隅部に、布製粘着テープからなる補強部材シートが、図２に示すように三角形補強布シートを一枚の正方形状補強布シート内に４枚で剥ぎ取り形状の構造にして、当該正方形状補強布シートは、直角三角形の補強布シートを４個持つ布製粘着テープからなる剥ぎ取り補強部材シートを３０枚でセットにして、図７ビニール袋に収納した。【００３４】当該ターポリン製簡易貼着補強材を横断幕図４、の隅部及び周辺部に貼付し、ハトメ穴あけ用目印２、を目標に穴開け位置決めを行い、工具で穴を開け、ハトメ１０、をかしめ、そのハトメ穴にロープ１２、を取り付けた。
【実施例２】
【００３５】ターポリン用簡易貼着補強材として、厚さ０．８ｍｍ、横１４０ｍｍ、縦１４０ｍｍの正方形のシート状布製粘着テープからなる補強部材は、図２に示すようにシート内に４個の二等辺三角形の形状の押し型線を入れた形状になっている。【００３６】当該布製粘着テープからなる補強部材のシート内の二等辺三角形は、底辺を１１５ｍｍの直角三角形で、各角度部をＲ形状３、になっており、底辺と直角点の直線上に大きさ１．０ｍｍφの２個のハトメ穴あけ用目印を設けて、ターポリン用布製幕の４隅に両辺均等で布地の隅部に、布製粘着テープからなる補強部材シートが、図２に示すように三角形補強布シートを一枚の正方形状補強布シート内に４枚で剥ぎ取り形状の構造にして、当該正方形状補強布シートは、直角三角形の補強布シートを４個持つ布製粘着テープからなる剥ぎ取り補強部材シートを４０枚でセットにして、図７ビニールの袋に収納した。【００３７】当該ターポリン製簡易貼着補強材を懸垂幕図５、の隅部に貼付し、ハトメ穴あけ用目印２、を目標に穴開け位置決めを行い、工具で穴を開け、ハトメ１０、をかしめ、そのハトメ穴にロープ１２、ロープを取り付けた。
【実施例３】
【００３８】ターポリン用簡易貼着補強材として、厚さ０．７ｍｍ、横１４０ｍｍ、縦１４０ｍｍの正方形のシート状布製粘着テープからなる補強部材は、図２に示すようにシート内に８個の二等辺三角形の形状の押し型線を入れた形状になっている。【００３９】当該布製粘着テープからなる補強部材のシート内の二等辺三角形は、底辺を７５ｍｍの直角三角形で、底辺角度部をＲ形状３、になっており、底辺と直角点の直線上に大きさ１．０ｍｍφの２個のハトメ穴あけ用目印を設けて、ターポリン製布製幕の４隅に両辺均等で布地の隅部に、布製粘着テープからなる補強部材シートが、図２に示すように三角形補強布シートを一枚の正方形状補強布シート内に８枚で剥ぎ取り形状の構造にして、当該正方形状補強布シートは、直角三角形の補強布シートを８個持つ布製粘着テープからなる剥ぎ取り補強部材シートを５０枚でセットにして、図７紙袋に収納した。【００４０】当該ターポリン製簡易貼着補強材をスタンド幕図６、の隅部に貼付し、ハトメ穴あけ用目印２、を目標に穴開け位置決めを行い、工具で穴を開け、ハトメ１０、をかしめ、スタンドのフックに直接取り付けた。
【符号の説明】
【００４１】１．  補強材
２．  ハトメ穴あけ用目印
３．  Ｒカット形状部
４．  押し型線
５．  補強材シート
６．  ターポリン生地
７．  粘着層
８．  離型紙
９．  幕生地
１０．ハトメ
１１．収納用袋
１２．ロープ
【図１】
0003176927.tif 000003
【図２】
0003176927.tif 000004
【図３】
0003176927.tif 000005
【図４】
0003176927.tif 000006
【図５】
0003176927.tif 000007
【図６】
0003176927.tif 000008
【図７】
0003176927.tif 000009